(57)【要約】【課題】  映像遅延を減少させることによって、使用者の入力と映像信号の同期が合わないことから招来される使用者の不便を解消したディスプレイ装置及びその制御方法を提供する。【解決手段】  本発明によるディスプレイ装置は、映像信号を受信する映像受信部、前記映像信号を表示するディスプレイ部、使用者選択部、前記映像信号の処理時間を減少させる少なくとも一つの映像遅延減少モードで信号処理可能な映像信号処理部、及び前記使用者選択部を通じて前記映像遅延減少モードが選択された場合、前記映像信号処理部が前記選択された映像遅延減少モードによって前記映像信号を処理するように制御する制御部を含む。【選択図】      図１
2006330730.tif 000002
【特許請求の範囲】
【請求項１】
映像信号を受信する映像受信部と、前記映像信号を表示するディスプレイ部とを有するディスプレイ装置において、
使用者選択部と、
前記映像信号の処理時間を減少させる少なくとも一つの映像遅延減少モードで信号処理可能な映像信号処理部と、
前記使用者選択部を通じて前記映像遅延減少モードが選択された場合、前記映像信号処理部が前記選択された映像遅延減少モードによって前記映像信号を処理するように制御する制御部とを含むことを特徴とするディスプレイ装置。
【請求項２】
前記映像信号処理部は前記映像信号の画質を向上させる画質エンハンサーを含み、
前記制御部は前記映像遅延減少モードによって前記画質エンハンサーの処理を省略することを特徴とする請求項１に記載のディスプレイ装置。
【請求項３】
前記映像信号処理部はデインターレーサを含み、
前記制御部は前記映像遅延減少モードによって前記デインターレーサがイントラフィールド処理方式で動作するように制御することを特徴とする請求項２に記載のディスプレイ装置。
【請求項４】
前記映像信号処理部は色信号分離部を含み、
前記制御部は前記映像遅延減少モードによって前記色信号分離部が２Ｄ  Ｙ/Ｃ処理方式で動作するように制御することを特徴とする請求項３に記載のディスプレイ装置。
【請求項５】
前記映像信号処理部は、色信号分離部と、ビデオデコーダーと、デインターレーサと、スケーラーと、画質エンハンサーとを含み、
前記制御部は、第１映像遅延減少モードが選択された場合、前記色信号分離部が前記２Ｄ  Ｙ/Ｃ処理方式で動作し、前記デインターレーサがイントラフィールド処理方式で動作し、前記画質エンハンサーの処理を省略するように制御することを特徴とする請求項１に記載のディスプレイ装置。
【請求項６】
前記制御部は、第２映像遅延減少モードが選択された場合、前記色信号分離部が前記２Ｄ  Ｙ/Ｃ処理方式で動作し、前記デインターレーサがインターフィールド処理方式で動作し、前記画質エンハンサーの処理を省略するように制御することを特徴とする請求項５に記載のディスプレイ装置。
【請求項７】
前記制御部は、第３映像遅延減少モードが選択された場合、前記色信号分離部が前記３ＤアダプティブＹ/Ｃ処理方式で動作し、前記デインターレーサが前記インターフィールド処理方式で動作し、前記画質エンハンサーの処理を省略するように制御することを特徴とする請求項６に記載のディスプレイ装置。
【請求項８】
前記少なくとも一つの映像遅延減少モードに関する選択メニューを生成するＵＩ生成部をさらに含み、
前記制御部は前記使用者選択部を通じて映像遅延減少機能が選択された場合、前記選択メニューを生成させるように前記ＵＩ生成部を制御することを特徴とする請求項７に記載のディスプレイ装置。
【請求項９】
オーディオ信号を処理するオーディオ処理部をさらに含み、
前記制御部は前記選択された映像遅延減少モードによって前記オーディオ処理部の信号処理時間を設定することを特徴とする請求項６または７に記載のディスプレイ装置。
【請求項１０】
映像信号を受信する映像受信部と、前記受信された映像信号を処理する映像信号処理部とを有するディスプレイ装置の制御方法において、
少なくとも一つの映像遅延減少モードに関する選択メニューを生成する段階と、
前記選択メニューを通じて選択された映像遅延減少モードによって前記映像信号を処理する段階とを含むことを特徴とするディスプレイ装置の制御方法。
【請求項１１】
前記映像信号を処理する段階は、第１映像遅延減少モードが選択された場合、前記映像信号を２Ｄ  Ｙ/Ｃ処理方式で分離し、イントラフィールド処理方式でデインターレーシングし、画質エンハンシング過程を省略して処理する段階を含むことを特徴とする請求項１０に記載のディスプレイ装置の制御方法。
【請求項１２】
前記映像信号を処理する段階は、第２映像遅延減少モードが選択された場合、 前記映像信号を２Ｄ  Ｙ/Ｃ処理方式で分離し、インターフィールド処理方式でデインターレーシングし、画質エンハンシング過程を省略して処理する段階を含むことを特徴とする請求項１１に記載のディスプレイ装置の制御方法。
【請求項１３】
前記映像信号を処理する段階は、第３映像遅延減少モードが選択された場合、前記映像信号を前記３ＤアダプティブＹ/Ｃ方式で分離し、前記インターフィールド処理方式でデインターレーシングし、前記画質エンハンシング過程を省略して処理する段階を含むことを特徴とする請求項１２に記載のディスプレイ装置の制御方法。
【請求項１４】
前記選択された映像遅延減少モードによってオーディオ信号の処理時間を設定する段階をさらに含むことを特徴とする請求項１０に記載のディスプレイ装置の制御方法。
【発明の詳細な説明】
【技術分野】
【０００１】
本発明はディスプレイ装置及びその制御方法に関し、より詳しくは、映像信号の処理において映像遅延を減少させるディスプレイ装置及びその制御方法に関する。
【背景技術】
【０００２】
最近、プログレッシブ映像出力を支援するプレミアムディスプレイ装置が多く市場に発表されている。このようなディスプレイ装置は、信号処理がアナログからデジタル化しながらフレーム単位で信号を処理するのが一般的であり、この時にフレームメモリを利用する信号処理ＩＣを多く使用する。
【０００３】
このような信号処理ＩＣとしては、３Ｄ−ｃｏｍｂ、デコーダー、デインターレーサ、スケーラー、及び画質エンハンサーなどがあり、これら信号処理ＩＣは基本的な信号処理以外にも前後フレームのデータを比較して比較結果による映像データの処理及び多様な画質改善のための信号処理を行っている。
【０００４】
このような画質改善処理方式を用いるディスプレイ装置は、優れた画面品質を維持するが、そのために内部的に多量のデータを処理しなければならないため、その分だけ遅延時間が生じる。
【０００５】
ところが、このようなディスプレイ装置をゲーム機に接続して画面を見る場合、画面遅延時間が発生して実際のゲーム機での動作時間と使用者が画面を見て反応する動作時の入力と出力の同期が合わないという問題が発生し得る。
【０００６】
このように、一般的なビデオ映像の場合、使用者との相互作用がないために信号遅延による特別な問題が発生しないが、ゲーム映像の場合には使用者との相互作用があるため、ゲーム機が受信する使用者の入力と映像信号の同期が合わない場合、使用上の問題が発生する。
【発明の開示】
【発明が解決しようとする課題】
【０００７】
本発明の目的は、映像信号の処理において、映像遅延を減少させることによって、使用者の入力と映像信号の同期が合わないことから招来される使用者の不便を解消するディスプレイ装置及びその制御方法を提供することにある。
【課題を解決するための手段】
【０００８】
上記目的は、本発明によって、映像信号を受信する映像受信部と、前記映像信号を表示するディスプレイ部とを有するディスプレイ装置において、使用者選択部と、前記映像信号の処理時間を減少させる少なくとも一つの映像遅延減少モードで信号処理可能な映像信号処理部と、前記使用者選択部を通じて前記映像遅延減少モードが選択された場合、前記映像信号処理部が前記選択された映像遅延減少モードによって前記映像信号を処理するように制御する制御部とを含むことを特徴とするディスプレイ装置によって達成される。
【０００９】
ここで、前記映像信号処理部は前記映像信号の画質を向上させる画質エンハンサー（Ｅｎｈａｎｃｅｒ）を含み、前記制御部は前記映像遅延減少モードによって前記画質エンハンサーの処理を省略することができる。
【００１０】
そして、前記映像信号処理部はデインターレーサを含み、前記制御部は、前記映像遅延減少モードによって前記デインターレーサが前記イントラフィールド処理方式で動作するように制御することができる。
【００１１】
また、前記映像信号処理部は色信号分離部を含み、前記制御部は前記映像遅延減少モードによって前記色信号分離部が前記２Ｄ  Ｙ/Ｃ処理方式で動作するように制御することができる。
【００１２】
そして、前記映像信号処理部は、色信号分離部と、ビデオデコーダーと、デインターレーサと、スケーラーと、画質エンハンサーとを含み、前記制御部は前記第１映像遅延減少モードが選択された場合、前記色信号分離部が前記２Ｄ  Ｙ/Ｃ処理方式で動作し、前記デインターレーサが前記イントラフィールド処理方式で動作し、前記画質エンハンサーの処理を省略するように制御することができる。
【００１３】
ここで、前記制御部は第２映像遅延減少モードが選択された場合、前記色信号分離部が前記２Ｄ  Ｙ/Ｃ処理方式で動作し、前記デインターレーサが前記インターフィールド処理方式で動作し、前記画質エンハンサーの処理を省略するように制御することができる。
【００１４】
また、前記制御部は第３映像遅延減少モードが選択された場合、前記色信号分離部が前記３ＤアダプティブＹ/Ｃ処理方式で動作し、前記デインターレーサが前記インターフィールド処理方式で動作し、前記画質エンハンサーの処理を省略するように制御することができる。
【００１５】
そして、前記少なくとも一つの映像遅延減少モードに関するメニューを生成するＵＩ生成部をさらに含み、前記制御部は前記使用者選択部を通じて映像遅延減少機能が選択された場合、前記少なくとも一つの映像遅延減少モードに関するメニューを生成させるように前記ＵＩ生成部を制御することができる。
【００１６】
同時に、オーディオ信号を処理するオーディオ処理部をさらに含み、前記制御部は前記選択された映像信号処理モードによって前記オーディオ処理部の信号処理時間を設定することができる。
【００１７】
一方、上記目的は、本発明によって、映像信号を受信する映像受信部と、前記受信された映像信号を処理する映像信号処理部とを有するディスプレイ装置の制御方法において、少なくとも一つの映像遅延減少モードに関する選択メニューを生成する段階と、前記選択メニューを通じて選択された映像遅延減少モードによって前記映像信号を処理する段階とを含むことを特徴とするディスプレイ装置の制御方法によって達成される。
【００１８】
ここで、前記映像信号を処理する段階は、第１映像遅延減少モードが選択された場合、前記映像信号を２Ｄ  Ｙ/Ｃ方式で分離し、イントラフィールド方式でデインターレーシングし、画質エンハンシング過程を省略して処理する段階を有することができる。
【００１９】
そして、前記映像信号を処理する段階は、第２映像遅延減少モードが選択された場合、前記映像信号を前記２ＤＹ/Ｃ方式で分離し、インターフィールド方式でデインターレーシングし、前記画質エンハンシング過程を省略して処理する段階を有することができる。
【００２０】
また、前記映像信号を処理する段階は、第３映像遅延減少モードが選択された場合、前記映像信号を３ＤアダプティブＹ/Ｃ方式で分離し、インターフィールド処理方式でデインターレーシングし、前記画質エンハンシング過程を省略して処理する段階を含むことができる。
【００２１】
同時に、前記選択された映像遅延減少モードに対応してオーディオ信号の処理時間を設定する段階をさらに含むことができる。
【発明の効果】
【００２２】
本発明によれば、映像遅延を減少させることによって、使用者の入力と映像信号の同期が合わないことから招来される使用者の不便を解消するディスプレイ装置及びその制御方法が提供される。
【発明を実施するための最良の形態】
【００２３】
以下、添付した図面を参照して、本発明の実施形態について詳細に説明する。
【００２４】
図１は本発明の実施形態によるＴＶの制御ブロック図である。図１に示されているように、本発明の実施形態によるＴＶは、映像受信部１０、映像信号処理部２０、ディスプレイ部３０、使用者選択部４０、ＵＩ生成部５０、及び制御部６０を含む。
【００２５】
映像受信部１０は、放送信号を受信するアンテナ１１と、後述する制御部６０の制御によって使用者が選択した特定チャンネルの放送信号をチューニングするチューナー１２とを含む。そして、映像受信部１０は、多様な外部ソースに対応する映像信号が受信されるＣＶＢＳ（Ｃｏｍｐｏｓｉｔｅ  Ｖｉｄｅｏ  Ｂａｓｅｂａｎｄ  Ｓｉｇｎａｌ）端子１３、Ｓ−ビデオ端子１４、コンポーネント端子１５、ＰＣ−信号端子１６、ＤＶＩ（ｄｉｇｉｔａｌ  ｖｉｄｅｏ／ｖｉｓｕａｌ  ｉｎｔｅｒａｃｔｉｖｅ）端子１７、及びＨＤＭＩ（Ｈｉｇｈ-Ｄｅｆｉｎｉｔｉｏｎ  Ｍｕｌｔｉｍｅｄｉａ  Ｉｎｔｅｒｆａｃｅ）端子１８を含むことができる。
【００２６】
映像信号処理部２０は、映像受信部１０を通じて入力された信号をディスプレイ部３０が処理可能なフォーマットの信号に変換して処理する。図１に示されているように、本発明の実施形態による映像信号処理部２０は、色信号分離部２１、ＡＤＣ２２、ＴＭＤＳ受信部２３、ビデオデコーダー２４、デインターレーサ２５、スケーラー２６、及び画質エンハンサー２７など信号処理ＩＣを含むことができる。
【００２７】
色信号分離部２１は、輝度と色信号が混合されて入力される放送信号及びＣＶＢＳ輝度成分Ｙと色信号成分Ｃに分離する。色信号分離部は３Ｄ−ｃｏｍｂフィルターを含むことができ、３Ｄ−ｃｏｍｂフィルターは多様なフィルタリング方式で信号を分離することができる。例えば、Ｌｏｗ  ｐａｓｓ  ｆｉｌｔｅｒｉｎｇ、Ｈｉｇｈ  ｐａｓｓ  ｆｉｌｔｅｒｉｎｇ、ｎｏｔｃｈ  ｆｉｌｔｅｒｉｎｇ、２Ｄ  Ｙ/Ｃ分離方式、３Ｄ  Ｙ／Ｃ分離方式、及び３Ｄアダプティブ方式などがある。
【００２８】
ここで、２Ｄ  Ｙ/Ｃ分離方式は、２、３、４ラインｃｏｍｂフィルタリングを利用して１フレーム内のデータに基づいて色信号を分離する。そして、３Ｄ  Ｙ/Ｃ分離方式は、フレーム内でライン間のＹ/Ｃ分離と、前後フレーム間の同一ピクセルデータ間からもＹ/Ｃ分離を行う。３Ｄ  Ｙ/Ｃ分離方式は高画質を実現することができるが、そのためにはフレームメモリが必要であり、１フレーム間の映像信号遅延が発生する。
【００２９】
３Ｄアダプティブ方式は、前後フレームデータを比較しモーションの量を検出して、動きが多ければ２Ｄ  Ｙ/Ｃ分離方式に近く、動きが少なければ３Ｄ  Ｙ/Ｃ分離方式に近く処理する。３Ｄアダプティブ方式は、３Ｄ  Ｙ/Ｃ分離方式と同様に映像信号の遅延が発生する。映像遅延減少モードが選択された場合、色信号分離部は２Ｄ  Ｙ/Ｃ分離方式で動作することが映像遅延減少を最大化する。
【００３０】
本発明による映像信号処理部２０は、受信されたコンポーネント信号またはＰＣ−信号であるアナログ信号をデジタル信号に変換するＡＤＣ（Ａ／Ｄコンバータ）２２と、ＤＶＩ−信号をＲ、Ｇ、Ｂデジタル信号とＨ／Ｖ信号に分離するＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）受信部２３とを含む。ＡＤＣ２２またはＴＭＤＳ受信部２３から出力される映像信号は、後述するデインターレーサ２５またはスケーラー２６に入力されて処理される。
【００３１】
ビデオデコーダー２４は、入力された映像信号をディコーディングしてカラーシステムを判断し、色信号ＣからＵ、Ｖを分離して入力された映像信号をＹ、Ｕ、Ｖに出力する。
【００３２】
そして、デインターレーサ２５は入力されたインターレーシング方式の映像信号をプログレッシブ方式に変換する。主に、放送信号、ＣＶＢＳ、Ｓ−ビデオ信号がインターレース信号に該当し、他の入力端子を通じて受信された映像信号のうちのインターレース信号は、デインターレーサ２５によってプログレッシブ信号に変換される。
【００３３】
本発明の実施形態によるデインターレーサ２５は、２Ｄ方式、つまり、イントラフィールド処理方式と、３Ｄ方式、つまり、インターフィールド処理方式で処理可能である。ここで、イントラフィールド処理方式は、各ラインのデータをコピーして補間するラインダブリング方式と、数ラインのデータを参考して補間するラインインターポールレーション方式で可能である。
【００３４】
そして、インターフィールド処理方式は、偶数、奇数フィールドを挿入して一つのフレームを形成するフィールドマージング方式と、モーションの量を検出して検出されたモーションにより、動きが少ない領域では３Ｄ方式で処理し、動きが多い領域では２Ｄ方式で処理するモーションアダプティブ方式と、サンプリングしてフィールドの間にモーションベクターを算出して処理するモーションコンペンセーテッド方式がある。
【００３５】
ここで、インターフィールド処理方式は前後フレームデータを比較しなければならないので映像遅延が発生する。したがって、映像遅延減少モードが選択された場合、デインターレーサはイントラフィールド方式で動作するのが映像遅延を減少させる。
【００３６】
スケーラー２６は、入力された映像信号をディスプレイ部３０の出力規格に合う垂直周波数、解像度、画面比率などに合うように変換する。
【００３７】
そして、画質エンハンサー２７は、スケーラー２６を通じて出力される映像信号の画質を向上させるためにコントラストエンハンス、白黒ストレッチなどを行い、映像信号の処理遅延が発生する。したがって、映像遅延減少モードが選択された場合、画質エンハンサー２７の処理は省略されるのが映像遅延を減少させる。
【００３８】
ディスプレイ部３０は映像信号処理部２０から映像信号を受信して画面に表示する。ディスプレイ部３０は、映像が表示されるディスプレイパネル（図示せず）と、パネル駆動部（図示せず）とを含み、ディスプレイパネルは、ＬＣＤ（液晶表示）、ＰＤＰ（プラズマ表示パネル）などにより多様に構成できる。
【００３９】
使用者選択部４０は使用者の操作によって後述する制御部６０にキー信号を出力する。使用者選択部４０は、映像遅延減少機能を選択するためのメニューキー（図示せず）と、画面に表示されたＵＩの各項目を指示または選択するための上下左右操作キー（図示せず）と、キー操作に対応してキー信号を発生するキー信号発生部（図示せず）とを含むことができる。もちろん、使用者選択部４０は別途に連結される入力手段、つまり、マウス、キーボードなどで備えられたり、無線リモコンで備えられることも可能である。
【００４０】
ＵＩ生成部５０は後述する制御部６０の制御によって映像遅延減少モードに関する選択メニューを生成する。ＵＩ生成部５０が生成する選択メニューは少なくとも一つ以上の映像遅延減少モードの項目を含む。
【００４１】
また、ＵＩ生成部５０は、それぞれの項目による映像遅延減少の程度を使用者が容易に分かるようにアイコンまたはテキストデータにて表示できる。これにより、使用者はディスプレイ部３０に表示されるアイコンまたはテキストデータを通じて所望の映像遅延減少モードに関する情報を得ることができる。また、映像遅延減少の程度によって名前または順番を付ける方法があり得る。
【００４２】
ここで、映像遅延減少モードは複数個存在することができ、映像遅延が発生する色信号分離部２１とデインターレーサ２５が２Ｄ方式で動作し、画質エンハンサー２７の処理が省略されるか否かにより、つまり、色信号分離部２１とデインターレーサ２５及び画質エンハンサー２７の処理方式によって映像遅延の減少程度が変わる複数の映像遅延減少モードが形成されることができる。
【００４３】
例えば、本発明の実施形態によるディスプレイ装置が動作する映像遅延減少モードが３通りであり、これをそれぞれ第１映像遅延減少モード、第２映像遅延減少モード、第３映像遅延減少モードとする。
【００４４】
この時、もし、第１映像遅延減少モードでは、色信号分離部２１が２Ｄ  Ｙ/Ｃ方式、デインターレーサ２５が２Ｄ方式、画質エンハンサー２７の処理は省略され、第２映像遅延減少モードでは、色信号分離部２１が２Ｄ  Ｙ/Ｃ方式、デインターレーサ２５が３Ｄ方式、画質エンハンサー２７の処理は省略され、第３映像遅延減少モードでは、色信号分離部２１が３ＤアダプティブＹ/Ｃ方式、デインターレーサ２５が３Ｄ方式、画質エンハンサー２７の処理は省略されば、第１映像遅延減少モード、第２映像遅延減少モード、第３映像遅延減少モードの順で映像遅延の減少程度が低くなる。つまり、映像遅延の減少程度は、第１映像遅延減少モードが最大、第２映像遅延減少モードが中間、第３映像遅延減少モードが最小になる。
【００４５】
この場合、ＵＩ生成部５０はそれぞれの映像遅延減少モードの項目を含む選択メニューを生成する。それぞれのモードに関する内部的な具体的処理動作について使用者に報知する必要はないが、前述したように、映像遅延の減少程度が最大、中間、最小のいずれかであることをアイコンまたはテキストデータにて共に表示することができる。これについてのより詳しい説明は後述する。
【００４６】
制御部６０は、使用者選択部４０によって選択された映像遅延減少モードにより、映像信号処理部２０が映像信号の処理遅延を減少させるように制御する。前述したように、映像信号処理部２０は多様な信号処理方式で映像信号を処理することができ、制御部６０は使用者選択部４０の入力信号によって映像遅延が減少できる信号処理方式で映像信号処理部２０が動作するように該当セッティング値を変更する。制御部６０はマイコン（ＭＩＣＯＭ）及びコントローラなどにより具現できる。
【００４７】
また、制御部６０は映像遅延減少モードを設定するためのメモリまたはレジスターを含むことができる。ここでモード設定のためのメモリ及びレジスターは映像信号処理部２０に備えられても良い。制御部６０に関するより詳しい動作については後述する。
【００４８】
本発明の実施形態によるディスプレイ装置は、オーディオ信号処理部（図示せず）をさらに含むことができ、制御部６０は、映像遅延モードが選択された場合、該当モードの遅延程度によってオーディオ信号処理部（図示せず）がオーディオ信号の処理を該当遅延時間ほど遅延して処理するようにする。これにより、映像信号の遅延とオーディオ信号の出力同期を合せる。
【００４９】
本発明の実施形態によるディスプレイ装置の制御方法について、図２及び図３を参照して説明する。
【００５０】
図２に示されているように、使用者が使用者選択部４０のボタン及びキーを操作して映像遅延減少モードの設定メニューを選択すれば（Ｓ１０）、キー信号発生部（図示せず）はキー操作に対応してキー信号を発生して制御部６０に印加する。これにより、制御部６０は、キー信号発生部から入力されるキー信号に対応してＵＩ生成部５０が映像遅延減少モードの選択メニューを生成してスケーラー２７に出力し、映像信号と共に合成されてディスプレイ部３０に表示するように制御する（Ｓ２０）。
【００５１】
図３は本発明の実施形態による映像遅延減少モードに関するＵＩ画面を例示したものである。図３に示されているように、画面に表示されるＵＩ選択メニューは、（Ａ）領域に表示される複数の映像遅延減少モードの項目を含む。ここで、ＵＩ選択メニューに表示される映像遅延減少モードの項目は、一般モードを含んで４通りに表示される。
【００５２】
そして、使用者が使用者選択部４０を通じていずれか一つの項目を指示または選択した場合、ＵＩ生成部５０は（Ｂ）領域に指示または選択された映像遅延減少モードの項目に対応するテキストデータまたはアイコンを生成する。
【００５３】
図３に示されているように、使用者選択部４０を通じて第１映像遅延減少モードが指示または選択された場合、（Ｂ）領域には“映像遅延減少程度最大…”などのテキストデータが表示される。これによって使用者は選択した映像遅延減少モードに対する該当情報が分かる。
【００５４】
もし、使用者が使用者選択部４０の方向キーなどを操作して所望の映像遅延減少モードを選択した場合（Ｓ３０）、制御部６０は選択された映像遅延減少モードが第１映像遅延減少モードであるか否かを判断する（Ｓ４０）。
【００５５】
もし、使用者選択部４０を通じて第１映像遅延減少モードが選択された場合（Ｓ４０）、制御部６０は色信号分離部２１のセッティングを２Ｄ  Ｙ/Ｃ方式に変更し、デインターレーサ２５のセッティングをイントラフィールド方式、つまり、２Ｄ方式に変更し、画質エンハンサー２７のセッティングを動作Ｎｏに変更する（Ｓ５０）。これにより、色信号分離部２１とデインターレーサ２５及び画質エンハンサーはセッティングされた値に対応する処理方式で動作する。第１映像遅延減少モードは映像遅延減少モードのうち映像遅延が最大化されたモードであって、ゲーム機など使用者との相互作用が要求される外部ソースを使用する場合に効果的なモードである。
【００５６】
もし、使用者選択部４０を通じて第２映像遅延モードが選択された場合（Ｓ６０）、制御部６０は色信号分離部２１のセッティングを２Ｄ  Ｙ/Ｃ方式に設定し、デインターレーサ２５のセッティングをインターフィールド方式に設定し、画質エンハンサー２７のセッティングを動作Ｎｏに設定する（Ｓ７０）。これにより、映像信号処理部２０はセッティングされた値に対応する処理方式で動作する。第２映像遅延減少モードは映像遅延減少モードのうち映像遅延が中間程度であって、第１映像遅延モードに比べて画質面で優れている。
【００５７】
もし、使用者選択部４０を通じて第３映像遅延モードが選択された場合、制御部６０は色信号分離部２１のセッティングを３ＤアダプティブＹ/Ｃ方式に設定し、デインターレーサ２５のセッティングをインターフィールド方式に設定し、画質エンハンサー２７のセッティングを動作Ｎｏで処理するようにセッティング値を設定する（Ｓ８０）。もし、第１映像遅延減少モードまたは第２映像遅延減少モードから第３映像遅延減少モードに変更された場合であれば、制御部６０は、色信号分離部２１は３ＤアダプティブＹ/Ｃ方式、デインターレーサ２５はインターフィールド方式で動作するように該当セッティング値を変更する（Ｓ８０）。第３映像遅延減少モードは他の映像遅延減少モードに比べて映像遅延程度が最小であって、画質面では優れた方である。
【００５８】
使用者は一般モードの項目を選択して映像遅延減少モードから一般モードに転換させることができる。使用者が使用者選択部４０を通じて一般モードを選択した場合、制御部６０は、映像信号処理部２０が映像遅延減少モードでなく画質を改善する映像処理方式で動作するように制御する。つまり、色信号分離部２１は３ＤアダプティブＹ/Ｃ方式、デインターレーサ２５はインターフィールド方式で動作させ、また、画質エンハンサー２７も動作させる。
【００５９】
そして、制御部６０は、オーディオ信号処理部（図示せず）が選択された映像遅延減少モードに対応してオーディオ信号の処理遅延時間を遅延させるように制御する（Ｓ９０）。これによって映像信号とオーディオ信号の出力同期を合せる。
【００６０】
前述した実施形態ではディスプレイ装置の一例としてＴＶを挙げているが、他のディスプレイ装置に本発明が適用できることはもちろんである。また、本発明の実施形態では映像遅延減少モードを３通り例示しているが、映像信号処理部２０の信号処理ＩＣの信号処理方法の組み合わせの数によってさらに多いこともでき、第１映像遅延モード一つだけが存在することもできる。
【００６１】
以上、本発明のいくつかの実施形態を図示して説明したが、本発明の属する技術分野の通常の知識を有する当業者であれば、本発明の原則や精神から逸脱しない範囲で本実形態を変形できることが分かる。本発明の範囲は添付された特許請求の範囲とその均等物によって決められるものである。
【図面の簡単な説明】
【００６２】
【図１】本発明の実施形態によるＴＶの制御ブロック図である。
【図２】本発明の実施形態によるＴＶの制御フローチャートである。
【図３】本発明の実施形態によるＴＶの映像遅延減少モードに関するＵＩ選択メニューを示した図である。
【符号の説明】
【００６３】
１０  映像受信部
１１  アンテナ
１２  チューナー
２０  映像信号処理部
２１  色信号分離部
２２  ＡＤＣ
２３  ＴＭＤＳ受信部
２４  ビデオデコーダー
２５  デインターレーサ
２６  スケーラー
２７  画質エンハンサー
３０  ディスプレイ部
４０  使用者選択部
５０  ＵＩ生成部
６０  制御部
１３  ＣＶＢＳ端子
１４  Ｓ−ビデオ端子
１５  コンポーネント端子
１６  ＰＣ−信号端子
１７  ＤＶＩ端子
１８  ＨＤＭＩ端子
【図１】
2006330730.tif 000003
【図２】
2006330730.tif 000004
【図３】
2006330730.tif 000005